【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
表示制御装置であって、
撮像手段により得られた画像を表示可能な表示手段と、
前記表示制御装置の周囲環境の明るさに関する情報を検出する検出手段と、
前記撮像手段により得られた画像に基づく画像データを記録媒体に記録していない場合には、前記検出手段の検出結果に基づいて前記表示手段の明るさを変更し、
前記画像データを前記記録媒体に記録している場合には、前記検出手段の検出結果に基づいた前記表示手段の明るさの変更をしないように制御する制御手段とを有することを特徴とする表示制御装置。
【請求項２】
表示制御装置であって、
画像を表示可能な表示手段と、
前記表示制御装置の周囲環境の明るさに関する情報を検出する検出手段と、
記録媒体に記録された画像に基づく画像データを前記表示手段において再生表示していない場合には、前記検出手段の検出結果に基づいて前記表示手段の明るさを変更し、
前記画像データを前記表示手段において再生表示している場合には、前記検出手段の検出結果に基づいた前記表示手段の明るさの変更をしないように制御する制御手段とを有することを特徴とする表示制御装置。
【請求項３】
表示制御装置であって、
撮像手段により得られた画像を表示可能な表示手段と、
前記表示制御装置の周囲環境の明るさに関する情報を検出する検出手段と、
前記検出手段の検出した情報に基づいて前記表示手段の明るさを制御する制御手段であって、
前記撮像手段により得られた画像に基づく画像データを記録媒体に記録している場合には、前記検出手段が前記情報の検出をしないように制御する制御手段とを有することを特徴とする表示制御装置。
【請求項４】
表示制御装置であって、
画像を表示可能な表示手段と、
前記表示制御装置の周囲環境の明るさに関する情報を検出する検出手段と、
前記検出手段の検出した情報に基づいて前記表示手段の明るさを制御する制御手段であって、
記録媒体に記録された画像データを、前記表示手段において再生表示している場合には、前記検出手段が前記情報の検出をしないように制御する制御手段とを有することを特徴とする表示制御装置。
【請求項５】
前記表示手段は有機ＥＬ表示デバイスであることを特徴とする請求項１から４のいずれか１項に記載の表示制御装置。
【請求項６】
前記表示手段は液晶表示デバイスであり、前記制御手段は、前記検出手段の検出結果に応じて、前記液晶表示デバイスのバックライトの明るさを変更するように制御することを特徴とする請求項１から４のいずれか１項に記載の表示制御装置。
【請求項７】
前記制御手段は、前記検出手段の検出結果に応じて、周囲環境の明るさが明るいほど前記表示手段の明るさを明るくするように制御することを特徴とする請求項１から６のいずれか１項に記載の表示制御装置。
【請求項８】
前記制御手段は、前記検出手段の検出結果に応じて、前記表示手段の表示モードを切り替えることを特徴とする請求項１から５のいずれか１項に記載の表示制御装置。
【請求項９】
前記制御手段は、前記検出手段の検出結果に応じて、前記表示手段の映像信号に対する表示輝度の特性を切り替えることを特徴とする請求項１から５のいずれか１項に記載の表示制御装置。
【請求項１０】
前記制御手段は、前記撮像手段により得られた画像に基づく画像データの前記記録媒体への記録が終了したことに応じて、前記検出手段の検出結果に基づいた前記表示手段の明るさの制御を開始することを特徴とする請求項１に記載の表示制御装置。
【請求項１１】
前記制御手段は、前記撮像手段により得られた画像に基づく画像データの前記記録媒体への記録が終了してから所定時間経過したことに応じて、前記検出手段の検出結果に基づいた前記表示手段の明るさの制御を開始することを特徴とする請求項１に記載の表示制御装置。
【請求項１２】
前記制御手段は、前記撮像手段により得られた画像に基づく画像データの前記記録媒体への記録が終了した後、前記表示制御装置が操作されたことに応じて、前記検出手段の検出結果に基づいた前記表示手段の明るさの制御を開始することを特徴とする請求項１に記載の表示制御装置。
【請求項１３】
前記制御手段は、前記撮像手段により得られた画像に基づく画像データの前記記録媒体への記録が終了した後、所定時間が経過するか、該所定時間が経過する前に前記表示制御装置が操作されたことに応じて、前記検出手段の検出結果に基づく前記表示手段の明るさの制御を開始することを特徴とする請求項１に記載の表示制御装置。
【請求項１４】
前記制御手段は、前記画像データの前記記録媒体への記録が開始されると、前記画像データの前記記録媒体への記録が開始される前に検出されていた前記検出結果に基づいて変更された明るさのまま、前記表示手段の明るさを変更しないように制御することを特徴とする請求項１または３に記載の表示制御装置。
【請求項１５】
前記制御手段は、前記記録媒体に記録された前記画像データの前記表示手段における再生表示が開始されると、前記画像データの前記再生表示が開始される前に検出されていた前記検出結果に基づいて変更された明るさのまま、前記表示手段の明るさを変更しないように制御することを特徴とする請求項２または４に記載の表示制御装置。
【請求項１６】
前記制御手段は、前記表示手段で前記記録媒体に記録された複数の画像の一覧表示を行っている場合には、前記検出手段の検出結果に基づいて前記表示手段の明るさを変更するように制御することを特徴とする請求項２に記載の表示制御装置。
【請求項１７】
前記制御手段は、前記撮像手段により得られた画像に基づく画像データの前記記録媒体への記録が終了したことに応じて、前記検出手段の前記情報の検出を開始するように制御することを特徴とする請求項３に記載の表示制御装置。
【請求項１８】
前記制御手段は、前記撮像手段により得られた画像に基づく画像データの前記記録媒体への記録が終了してから所定時間したことに応じて、前記検出手段の前記情報の検出を開始するように制御することを特徴とする請求項３に記載の表示制御装置。
【請求項１９】
前記制御手段は、前記撮像手段により得られた画像に基づく画像データの前記記録媒体への記録が終了した後、前記表示制御装置が操作されたことに応じて、前記検出手段の前記情報の検出を開始するように制御することを特徴とする請求項３に記載の表示制御装置。
【請求項２０】
前記制御手段は、前記撮像手段により得られた画像に基づく画像データの前記記録媒体への記録が終了した後、所定時間が経過するか、該所定時間が経過する前に前記表示制御装置が操作されたことに応じて、前記検出手段の前記情報の検出を開始するように制御することを特徴とする請求項３に記載の表示制御装置。
【請求項２１】
前記撮像手段をさらに有することを特徴とする請求項１から２０のいずれか１項に記載の表示制御装置。
【請求項２２】
前記画像は動画像であることを特徴とする請求項１から２１のいずれか１項に記載の表示制御装置。
【請求項２３】
前記検出手段は照度センサであることを特徴とする請求項１から２２のいずれか１項に記載の表示制御装置。
【請求項２４】
前記検出手段は、前記表示制御装置のうち、前記表示手段の表示面側の明るさを検出できる位置に配置されていることを特徴とする請求項１から２３のいずれか１項に記載の表示制御装置。
【請求項２５】
撮像手段により得られた画像を表示可能な表示手段を有する表示制御装置の制御方法であって、
前記表示制御装置の周囲環境の明るさに関する情報を検出する検出ステップと、
前記撮像手段により得られた画像に基づく画像データを記録媒体に記録していない場合には、前記検出ステップにおける検出結果に基づいて前記表示手段の明るさを変更し、前記画像データを前記記録媒体に記録している場合には、前記検出ステップにおける検出結果に基づいた前記表示手段の明るさの変更をしないように制御する制御ステップとを有することを特徴とする表示制御装置の制御方法。
【請求項２６】
画像を表示可能な表示手段を有する表示制御装置の制御方法であって、
前記表示制御装置の周囲環境の明るさに関する情報を検出する検出ステップと、
記録媒体に記録された画像に基づく画像データを、前記表示手段において再生表示していない場合には、前記検出ステップにおける検出結果に基づいて前記表示手段の明るさを変更し、
前記画像データを、前記表示手段において再生表示している場合には、前記検出ステップにおける検出結果に基づいた前記表示手段の明るさの変更をしないように制御する制御ステップとを有することを特徴とする表示制御装置の制御方法。
【請求項２７】
撮像手段により得られた画像を表示可能な表示手段を有する表示制御装置の制御方法であって、
前記表示制御装置の周囲環境の明るさに関する情報を検出する検出ステップと、
前記検出ステップにおいて検出した情報に基づいて前記表示手段の明るさを制御する制御ステップであって、
前記撮像手段により得られた画像に基づく画像データを記録媒体に記録している場合には、前記検出ステップにおいて前記情報の検出をしないように制御する制御ステップとを有することを特徴とする表示制御装置の制御方法。
【請求項２８】
画像を表示可能な表示手段を有する表示制御装置の制御方法であって、
前記表示制御装置の周囲環境の明るさに関する情報を検出する検出ステップと、
前記検出ステップにおいて検出した情報に基づいて前記表示手段の明るさを制御する制御ステップであって、
記録媒体に記録された画像データを前記表示手段において再生表示している場合には、前記検出ステップにおいて前記情報の検出をしないように制御する制御ステップとを有することを特徴とする表示制御装置の制御方法。
【請求項２９】
コンピュータを、請求項１から２４のいずれか１項に記載された電子機器の各手段として機能させるためのプログラム。
【請求項３０】
コンピュータを、請求項１から２４のいずれか１項に記載された電子機器の各手段として機能させるためのプログラムを格納したコンピュータが読み取り可能な記録媒体。
【手続補正２】
【補正対象書類名】明細書
【補正対象項目名】発明の名称
【補正方法】変更
【補正の内容】
【発明の名称】表示制御装置、表示制御装置の制御方法、プログラム及び記録媒体
【手続補正３】
【補正対象書類名】明細書
【補正対象項目名】０００１
【補正方法】変更
【補正の内容】
【０００１】
本発明は、表示手段の明るさを変更可能な表示制御装置、表示制御装置の制御方法、プログラム及び記録媒体に関する。
【手続補正４】
【補正対象書類名】明細書
【補正対象項目名】０００５
【補正方法】変更
【補正の内容】
【０００５】
そこで、本発明は、特定の状況下において、ユーザに画面の輝度変化を認識させないようにすることができる表示制御装置、表示制御装置の制御方法、プログラム及び記録媒体を提供することを目的とする。
【手続補正５】
【補正対象書類名】明細書
【補正対象項目名】０００６
【補正方法】変更
【補正の内容】
【０００６】
このような目的を達成するために、本発明の表示制御装置は、撮像手段により得られた画像を表示可能な表示手段と、前記表示制御装置の周囲環境の明るさに関する情報を検出する検出手段と、前記撮像手段により得られた画像に基づく画像データを記録媒体に記録していない場合には、前記検出手段の検出結果に基づいて前記表示手段の明るさを変更し、前記画像データを前記記録媒体に記録している場合には、前記検出手段の検出結果に基づいた前記表示手段の明るさの変更をしないように制御する制御手段とを有することを特徴とする。